(57)【要約】【課題】保護シートの柔軟層に埃等の汚れが付着しても容易に取り除くことができ、繰り返し使用することができる画面保護シートセットを提供する。【解決手段】携帯端末の表示画面を保護するためのシートであって、一方の面に柔軟層を有し、該表示画面に繰り返し貼り付け及び取り外しが可能である保護シート１２と、保護シート１２の前記柔軟層が接触されることにより該柔軟層から埃を取り除く粘着層を有する、前記保護シート１２よりも大きい埃取りシート１３を含む携帯端末用画面保護シートセット１０を構成する。【選択図】図１Ｂ
0003198398.tif 000002
【実用新案登録請求の範囲】
【請求項１】
a) 携帯端末の表示画面を保護するためのシートであって、一方の面に柔軟層を有し、該表示画面に繰り返し貼り付け及び取り外しが可能である保護シートと、
b) 前記保護シートの前記柔軟層が接触されることにより該柔軟層から埃を取り除く粘着層を有する、前記保護シートよりも大きい埃取りシートと
を含むことを特徴とする携帯端末用画面保護シートセット。
【請求項２】
前記保護シートが、表示画面を含む上面と、該上面から湾曲突出する周縁部とを有する携帯端末の該周縁部を覆う大きさを有する請求項１に記載の携帯端末用画面保護シートセット。
【請求項３】
さらに、
c) 携帯端末の前記周縁部において該携帯端末に係止される携帯端末収容ケース
を備え、
前記携帯端末が前記携帯端末収容ケースに収容され、前記携帯端末の表示画面に前記保護シートが貼り付けられたとき、前記保護シートの上面と前記携帯端末収容ケースの上縁が面一となることを特徴とする請求項２に記載の携帯端末用画面保護シートセット。
【請求項４】
一方の面に柔軟層を有し、携帯端末の表示画面に繰り返し貼り付け及び取り外しが可能である携帯端末用画面保護シートの前記柔軟層が接触されることにより該柔軟層から埃を取り除く粘着層を有し、該携帯端末用画面保護シートよりも大きいことを特徴とする埃取りシート。
【考案の詳細な説明】
【技術分野】
【０００１】
本考案は、携帯電話、スマートフォン及びタブレット等の携帯端末の表示画面に貼り付けられて使用される保護シート及びそれに関連するシートに関する。
【背景技術】
【０００２】
携帯電話、スマートフォン、及びタブレット等の携帯端末を購入したユーザは、その表示画面を外からの衝撃や汚れから守るために、保護シートを貼り付けることが多い。一旦表示画面に貼付された保護シートには大きな力がかかることがなく、また、それを剥がす際に表示画面側に粘着剤が残らないようにするため、保護シートの貼付面側には架橋シリコーンゴム等の柔軟なゴム層が使用される。さらに、保護シートを表示画面上の正しい位置に一度で貼付することが難しいことから、繰り返し貼り付け及び取り外し可能とするような配慮もなされている（例えば、特許文献１）。
【先行技術文献】
【特許文献】
【０００３】
【特許文献１】特開2011-178929号公報
【考案の概要】
【考案が解決しようとする課題】
【０００４】
ユーザが携帯端末を使用する中で、表示画面のほとんどの部分は保護シートに覆われているため、美麗な状態が維持されるが、端の部分については、保護シートがめくれたり折れたりして、保護シートと画面の間に埃等の汚れが侵入して表示画面の見栄えが低下することがある。このように表示画面と保護シートの間に汚れが侵入した場合、表示画面の方は布等できれいにすることができるが、保護シートの方は粘着性を有するため、布等で汚れを拭き取ることができず、新しい保護シートと交換せざるを得なかった。
【０００５】
本考案は上記のような問題を解決するためになされたものであり、保護シートの柔軟層に埃等の汚れが付着しても容易に取り除くことができ、繰り返し使用することができる画面保護シートセットを提供することを目的とする。
【課題を解決するための手段】
【０００６】
上記課題を解決するために成された本考案に係る携帯端末用画面保護シートセットは、
a) 携帯端末の表示画面を保護するためのシートであって、一方の面に柔軟層を有し、該表示画面に繰り返し貼り付け及び取り外しが可能である保護シートと、
b) 前記保護シートの前記柔軟層が接触されることにより該柔軟層から埃を取り除く粘着層を有する、前記保護シートよりも大きい埃取りシートと
を含むことを特徴とする。
【０００７】
本考案に係る携帯端末用画面保護シートセットを、表示画面を含む上面と、該上面から湾曲突出する周縁部とを有する携帯端末に使用する場合、前記保護シートの大きさは、携帯端末の該周縁部を覆う大きさとすることが望ましい。これにより、保護シートは該携帯端末の表示画面を含む上面を全て覆うことになり、携帯端末の表示画面を完全に保護することができる。一方、該上面よりも外側の保護シートの柔軟層は上面に貼着されていないため汚れやすいが、本考案に係る携帯端末用保護画面シートセットの埃取りシートによりその汚れを容易に取り除くことができるため、特に問題はない。
【０００８】
このような携帯端末に対応する場合、本考案に係る携帯端末用画面保護シートセットは、さらに、携帯端末収容ケースもセットに含めることが望ましい。この携帯端末収容ケースは、該携帯端末の前記周縁部において携帯端末に係止するようにする。そして、この場合、前記保護シートは、それを表示画面に貼り付けたとき、その上面と携帯端末収容ケースの上縁（係止部分の上縁）が面一となるようにしておく。これにより、本携帯端末用保護画面シートセットを購入した利用者は、携帯端末の表示画面を美麗に保持することができ、表示画面をスムーズに操作することができるとともに、保護シートの柔軟層への汚れの付着も最小限に抑えることができるようになる。
【考案の効果】
【０００９】
本考案に係る携帯端末用画面保護シートセットでは、保護シートの柔軟層に埃等の汚れが付着しても、保護シートを表示画面から取り外し、保護シートの柔軟層を埃取りシートに接触させることにより、保護シートの柔軟層の汚れは埃取りシートの粘着層に移転する。ここで、埃取りシートは保護シートよりも大きいため、保護シートの全面を一挙に埃取りシートに接触させることができ、保護シートの汚れを一度に取ることができる。こうして汚れが取り除かれた保護シートは、再び携帯端末の表示画面に貼着することができる。埃取りシートは保護シートよりも大きいため、次回保護シートの汚れを取り除くときは前回とは別の場所に接触させることにより、再び一度で保護シートの汚れを取り除くことができる。
【図面の簡単な説明】
【００１０】
【図１Ａ】本考案の一実施例に係る画面保護シートセットの平面図。
【図１Ｂ】該画面保護シートセットの断面図。
【図２Ａ】実施例の画面保護シートセットの携帯端末収容ケース及び保護シートを携帯端末に装着した状態を示す平面図。
【図２Ｂ】同Ｂ−Ｂ断面図。
【図３】実施例の画面保護シートセットの保護シートを埃取りシートに接触させた状態を示す状態を示す平面図。
【図４Ａ】実施例の画面保護シートセットの保護シートの断面図。
【図４Ｂ】実施例の画面保護シートセットの埃取りシートの断面図。
【考案を実施するための形態】
【００１１】
以下、本考案の一実施例である画面保護シートセット１０について、図面を参照して説明する。本実施例の画面保護シートセット１０は、図１Ａに示すように、後述する携帯端末５０に装着されるケース１１、携帯端末５０の表示画面５１に貼り付けられる保護シート１２、及び保護シート１２の柔軟層の汚れを取るための埃取りシート１３から構成されている。ケース１１及び保護シート１２は、図１Ａに示すように、1枚の厚紙を半折りにして二重にしたセットシート１４に挟まれたプラスチックケース１５内に横並びでセットされており、埃取りシート１３は、図１Ｂに示すように、セットシート１４の間（プラスチックケース１５の下）に挟まれてセットされている。
【００１２】
本実施例の画面保護シートセット１０が対象とする携帯端末５０は、図２Ａ、図２Ｂに示すように、平面形状が長さ約140mm、幅約70mmの長方形であり、厚さは約7mmである。周縁には、断面が略半円状に突出する周縁部５１を有している。上面の中央には表示画面５２が、そしてその（図２Ａにおいて）上下にはマイク、カメラ、操作ボタン等が配置されている。
【００１３】
本実施例の画面保護シートセット１０のうちケース１１は、このような携帯端末５０の周縁部５１と下面を覆う形状の、厚さ約0.3〜0.7mm程度の柔軟性を有するプラスチック,ポリカボネート（PC）、ポリウレタン（TPU)等のプラスチックから成る。携帯端末５０の平面形状の最大の大きさ（すなわち、厚さの中央部分における大きさ）よりも僅かに小さい開口を有しており、そこから携帯端末５０を差し込むことにより、該ケース１１は周縁部５１により携帯端末５０に確実に保持される。また、ケース１１の高さ（携帯端末５０の厚さに対応する寸法）は、ケース１１を携帯端末に装着し、図２Ｂに示すように、保護シート１２を携帯端末５０の上面に貼付したときに、ケース１１の上縁が保護シート１２の上面とほぼ同じ高さとなるようにしておく。
【００１４】
図４Ａに示すように、保護シート１２は、厚さ0.1〜0.3mm程度の無色又は薄有色透明のポリエチレンテレフタレート（PET）等のプラスチックシートから成る本体層１２１と、その一方の面に設けられたシリコーンゴム等の柔軟層１２２から成る。その大きさは、前記ケース１１の開口部よりも僅かに小さく、しかし、携帯端末５０の上面よりも僅かに大きいように設定されている。従って、保護シート１２は携帯端末５０の上面全体を覆い、更に周縁部５２の一部を覆うことになる。画面保護シートセット１０として販売される際は、この柔軟層１２２には保護シート１２と同形の剥離シート１２３が貼着され、保護されている。
【００１５】
本体層１２１は、携帯端末５０の表示画面５１と略同一の形状を有する透光領域１２４と、該透光領域１２４の外周部に設けられた画像領域１２５から成る。画像領域１２５には、携帯端末５０の表示画面に表示される待ち受け画面と連続するような絵柄が印刷されている。このような待ち受け画面のデータはインターネットを介して本画面保護シートセット１０のメーカーのサーバからダウンロード可能となっており、該サーバへは本画面保護シートセット１０のセットシート１４に印刷された2次元バーコード等によりアクセスすることができる。
【００１６】
埃取りシート１３は、矩形のPET等のプラスチックシートから成る本体層１３１と、その一方の面に設けられた粘着層１３２から成る。本体層１３１の大きさはセットシート１４よりもやや小さい程度であり、従って、保護シート１２よりも大きい。粘着層１３２にはアクリル系、もしくはゴム系の粘着剤を用いることができる。粘着層１３２は通常は（販売時は）剥離シート１３、３で覆われている。
【００１７】
なお、画面保護シートセット１０には、以上の他に、携帯端末５０の底面に貼付するための、保護シート１２の画像領域１２５（及びそれとセットになった表示画面の待ち受け画面）と同様の（又は関連する）絵柄を有する背面シートを同梱してもよい。
【００１８】
図２Ａ及び図２Ｂに基づいて、本実施例の画面保護シートセット１０（ケース１１、保護シート１２及び埃取りシート１３）の使用方法を説明する。ユーザは、本実施例の画面保護シートセット１０を購入した後、通常、自分の携帯端末５０の上面にまず保護シート１２を貼付する。すなわち、画面保護シートセット１０から保護シート１２を取り出し、剥離シート１２３を剥がした後、携帯端末５０の上面に貼付する。このとき、仮にうまく貼付できなかった場合は一旦保護シート１２を上面から剥がし、再度貼付する。
【００１９】
こうして携帯端末５０の上面に対して正しい位置に保護シート１２を貼付した後、ケース１１を携帯端末５０に装着する。ケース１１の開口の大きさと保護シート１２の大きさは上記の関係にあり、また、ケース１１の高さは上記のように設定されていることから、ケース１１を装着したときにはその上縁は保護シート１２の上面とほぼ同じ高さ（面一）となる。なお、ケース１１を装着した後に保護シート１２を貼付するという順序でもよい。
【００２０】
こうしてケース１１と保護シート１２を装着することにより、携帯端末５０の下面及び周縁部５１はケース１１により、そして上面は保護シート１２により、ほぼ完全に保護される。しかし、保護シート１２は携帯端末の５０上面よりもやや大きく、また、保護シート１２とケース１１の間には僅かの隙間があることから、保護シート１２の上面からはみ出している部分（周縁部）の柔軟層１２２には、徐々に汚れが蓄積されてゆく。
【００２１】
そこで、暫く使用して、保護シート１２の周縁部（の粘着層）に汚れが蓄積して目に付くようになってきたら、本実施例の画面保護シートセット１０に含まれている埃取りシート１３を使用する。その使用方法を次に説明する。
【００２２】
ユーザは、まず携帯端末５０の上面から保護シート１２を剥がす。次に、画面保護シートセット１０から埃取りシート１３を取り出し、剥離シート１３３を剥がす。そして、図３に示すように、保護シート１２の柔軟層１２２を埃取りシート１３の粘着層１３２に接触させることで、保護シート１２の柔軟層１２２の汚れを埃取りシート１３の粘着層１３２に移転させる。その後、再び保護シート１２を携帯端末５０の上面に貼付する。なおその後、埃取りシート１３の粘着層１３２には剥離シート１３３を貼っておく。
【００２３】
以上のように、本実施例に係る携帯端末用画面保護シートセット１０では、保護シート１２に汚れが付着しても、保護シート１２を埃取りシート１３に接触させることにより、汚れを埃取りシート１３の粘着層１３２に移転させることができる。上述のとおり、埃取りシート１３は保護シート１２より大きいため、保護シート１２の全面を一挙に埃取りシート１３に接触させることができ、保護シート１２の汚れを一度に取ることができる。なお、前述の通り、汚れは保護シート１２のほぼ周縁部にのみ付着しているため、図３に示すように、埃取りシート１３に移転する汚れはそのような枠形状となる。
【００２４】
こうして汚れが取り除かれた保護シート１２は、再び携帯端末５０の上面に貼付することができる。また、図３に示すように、次回保護シート１２の汚れを取り除くときは、前回の場所（点線で示す）とは別の場所（実線で示す）に保護シート１２を接触させることにより、再び一度で保護シート１２の汚れを取り除くことができる。前述の通り、埃取りシート１３に移転する汚れは枠状の細い部分のみであるため、このように接触場所を少しずつ変えることにより、多数回の汚れ取りを行うことができる。
【００２５】
なお、上記実施例は一例であって、本考案の趣旨に沿って、適宜変形や修正を行える。例えば、埃取りシート１３は、プラスチックシートに粘着剤を塗布したものではなく、例えばシリコーンシートのように、1枚の粘着性を有するシートで構成してもよい。また、埃取りシート１３の形状は、矩形でなくても、円形等種々の形状であってもよい。
【符号の説明】
【００２６】
１２…保護シート
１２１…本体層
１２２…柔軟層
１２３…剥離シート
１２４…透光領域
１２５…画像領域
１３…埃取りシート
１３１…本体層
１３２…粘着層
１３３…剥離シート
１４…セットシート
１５…プラスチックケース
５０…携帯端末
５１…携帯端末の周縁部
【図１Ａ】
0003198398.tif 000003
【図１Ｂ】
0003198398.tif 000004
【図２Ａ】
0003198398.tif 000005
【図２Ｂ】
0003198398.tif 000006
【図３】
0003198398.tif 000007
【図４Ａ】
0003198398.tif 000008
【図４Ｂ】
0003198398.tif 000009